(57)【要約】本発明は、リングトポロジを有するメトロ光ネットワークに対する保護方式に関する。この方式は、ネットワーク上で１対１対応の保護を提供するために、プライマリＬＳＰ（１０７）及びバックアップＬＳＰ（１０８）を用いるイングレスノード（１０２Ａ）とエグレスノード（１０２Ｂ〜１０２Ｆ）とのプログラミングに関わる。正常な使用中には、マルチキャスト通信信号はプライマリＬＳＰ（１０７）上で送信される。しかし、障害の発生時には、これらのノード（１０２Ａ〜１０２Ｆ）はプライマリＬＳＰ（１０７）においてマルチキャスト通信信号を送信し続けるが、バックアップＬＳＰ（１０８）において通信信号の複製も送信する。このようにして、障害が発生した際のネットワークによるマルチキャスト通信信号の送信時の失敗を同時に避けながら、プライマリＬＳＰとバックアップＬＳＰ（１０７及び１０８）を障害の発生に先行して構成することが可能となる。発生する障害に先立ってプライマリＬＳＰとバックアップＬＳＰ（１０７及び１０８）とを構成することは、（オン・デマンドでバックアップＬＳＰを決定する保護方式の場合のように）、障害の発生時に機能するＬＳＰを確立するためのシグナリングを行う必要性が避けられるので利点を有するものとなる。
2010515314.tif 000002
【特許請求の範囲】
【請求項１】
２つ以上のパスに沿ってイングレスノードから複数のエグレスノードのそれぞれへ通信信号が伝送されるよう通信リンクを介して該複数のエグレスノードに接続された該イングレスノードを備えたネットワークにおいてマルチキャスト通信信号を伝送する方法であって、
前記方法は、
前記ネットワークにおいて障害が発生する前に予め、前記通信リンクに沿ってマルチキャスト通信信号を伝送するプライマリパスと、前記通信リンクに沿って該マルチキャスト通信信号を伝送するバックアップパスとを設けるよう前記イングレスノードと前記複数のエグレスノードとを設定するステップと、
前記障害が発生すると、マルチキャスト通信信号を前記プライマリパス上で伝送するとともに、該マルチキャスト通信信号のコピーを前記バックアップパス上で伝送するステップと
を有することを特徴する方法。
【請求項２】
障害が発生する前に予め、前記イングレスノードおよび前記複数のエグレスノードは、複数のプライマリパスを設けるよう構成されており、前記複数のプライマリパスのそれぞれは、前記通信リンクに沿って複数のエグレスノードによる固有のセットへマルチキャスト通信信号を伝送するプライマリパスであることを特徴とする請求項１に記載の方法。
【請求項３】
前記イングレスノードおよび前記複数のエグレスノードは、前記複数のプライマリパスのそれぞれについてバックアップパスを設けることを特徴とする請求項２に記載の方法。
【請求項４】
前記プライマリパスおよび前記バックアップパスは、マルチキャストラベルスイッチングによるパス（マルチキャストＬＳＰ）であることを特徴とする請求項１ないし３のいずれか１項に記載の方法。
【請求項５】
前記プライマリパスおよび前記バックアップパスは、イーサネット（登録商標）によるコネクションであることを特徴とする請求項１ないし３のいずれか１項に記載の方法。
【請求項６】
前記ネットワークにおいて前記障害が解消されたことを示す通知を前記イングレスノードが受信したことに応じて、前記バックアップパス上で実行されていた前記マルチキャスト通信信号のコピーの伝送を停止するステップ
をさらに有することを特徴とする請求項１ないし５のいずれか１項に記載の方法。
【請求項７】
前記ネットワークにおいて前記障害が解消されたことを示す前記通知を前記イングレスノードが受信してから予め定められた時間だけ遅延させてから、前記バックアップパス上で実行されていた前記マルチキャスト通信信号のコピーの伝送の停止を実行するステップ
をさらに有することを特徴とする請求項６に記載の方法。
【請求項８】
前記予め定められた時間は、ミリ秒のオーダーの時間である
ことを特徴とする請求項７に記載の方法。
【請求項９】
前記ネットワークにおいて前記障害が解消されたことを示す前記通知を前記イングレスノードが受信してから所定時間が経過した後で、前記プライマリパス上での前記マルチキャスト通信信号の受信に戻るよう前記複数のエグレスノードを切り替えるステップ
をさらに有することを特徴とする請求項１ないし８のいずれか１項に記載の方法。
【請求項１０】
前記ネットワークを通じてパケットをルーティングするためにマルチプロトコル・ラベル・スイッチング（ＭＰＬＳ）を使用するステップをさらに有し、
前記プライマリパスおよび前記バックアップパスは、前記ネットワークにおけるラベルスイッチングによる特定のパス（ＬＳＰ）である
ことを特徴とする請求項１ないし９のいずれか１項に記載の方法。
【請求項１１】
ネットワーク用のイングレスノードであって、該イングレスノードは、２つ以上のパスに沿って該イングレスノードから複数のエグレスノードのそれぞれへ通信信号が伝送されるよう通信リンクを介して該複数のエグレスノードに接続されており、
前記イングレスノードは、
前記ネットワークにおいて障害が発生する前に予め、前記通信リンクに沿ってマルチキャスト通信信号を伝送するプライマリパスと、前記通信リンクに沿って該マルチキャスト通信信号を伝送するバックアップパスとを設けるよう前記イングレスノードと前記複数のエグレスノードとを設定し、
前記障害が発生すると、マルチキャスト通信信号を前記プライマリパス上で伝送するとともに、該マルチキャスト通信信号のコピーを前記バックアップパス上で伝送する
ように構成されていることを特徴とするイングレスノード。
【請求項１２】
ネットワーク用のデータ搬送媒体であって、該ネットワークは、２つ以上のパスに沿ってイングレスノードから複数のエグレスノードのそれぞれへ通信信号が伝送されるよう通信リンクを介して該複数のエグレスノードに接続された該イングレスノードを備えたネットワークであり、前記イングレスノードおよび前記複数のエグレスノードは、前記ネットワークにおいて障害が発生する前に予め、前記通信リンクに沿ってマルチキャスト通信信号を伝送するプライマリパスと、前記通信リンクに沿って該マルチキャスト通信信号を伝送するバックアップパスとを設けるように設定されており、
前記データ搬送媒体は、プロセッサによって実行されるインストラクションを備えており、該プロセッサは該インストラクションを実行することにより、前記ネットワークにおける前記イングレスノードを、前記障害が発生したことを示す通知を受信したことに応じて、マルチキャスト通信信号を前記プライマリパス上で伝送するとともに、該マルチキャスト通信信号のコピーを前記バックアップパス上で伝送するように動作させる
ことを特徴とするデータ搬送媒体。
【請求項１３】
ネットワーク用のエグレスノードであって、２つ以上のパスに沿ってイングレスノードから複数のエグレスノードのそれぞれへ通信信号が伝送されるよう通信リンクを介してイングレスノードに接続されている多数のエグレスノードのうちの１つであり、
前記エグレスノードは、
前記ネットワークにおいて障害が発生する前に予め、該エグレスノードが前記通信リンクに沿ってマルチキャスト通信信号を受信するためのプライマリパスと、該エグレスノードが前記通信リンクに沿って該マルチキャスト通信信号を受信するためのバックアップパスとを設けるように設定されており、かつ、プライマリパス上でマルチキャスト通信信号を受信するように構成されており、さらに、該プライマリパス上での該エグレスノードへのマルチキャスト通信信号の受信が失敗したことを検出すると、バックアップパス上で前記マルチキャスト通信信号のコピーを受信できるかどうかを判定し、もし受信できるのであれば、該マルチキャスト通信信号のコピーを受信するように切り替えるよう構成されていることを特徴とするエグレスノード。
【請求項１４】
前記エグレスノードは、前記障害が解消したことを示す通知を受信してから所定時間が経過すると、前記プライマリパス上で前記マルチキャスト通信信号を受信するように切り替えるよう構成されていることを特徴とする請求項１３に記載のエグレスノード。
【請求項１５】
ネットワーク用のデータ搬送媒体であって、該ネットワークは、２つ以上のパスに沿ってイングレスノードから複数のエグレスノードのそれぞれへ通信信号が伝送されるよう通信リンクを介して該複数のエグレスノードに接続された該イングレスノードを備えたネットワークであり、前記イングレスノードおよび前記複数のエグレスノードは、前記ネットワークにおいて障害が発生する前に予め、前記通信リンクに沿ってマルチキャスト通信信号を伝送するプライマリパスと、前記通信リンクに沿って該マルチキャスト通信信号を伝送するバックアップパスとを設けるように設定されており、
前記データ搬送媒体は、プロセッサによって実行されるインストラクションを備えており、該プロセッサは該インストラクションを実行することにより、前記ネットワークにおける前記エグレスノードを、プライマリパスに沿ってマルチキャスト通信信号を受信し、該プライマリパスに沿ってマルチキャスト通信信号を受信することに前記エグレスノードが失敗すると、バックアップパス上で前記マルチキャスト通信信号のコピーを受信できるかどうかを判定し、もし受信できるのであれば、該マルチキャスト通信信号のコピーを受信するように切り替えるよう動作させることを特徴とするデータ搬送媒体。
【請求項１６】
前記インストラクションによって前記プロセッサは、前記エグレスノードを、前記障害が解消したことを示す通知を受信してから所定時間が経過すると、前記プライマリパス上で前記マルチキャスト通信信号を受信するように切り替えるよう動作させることを特徴とする請求項１５に記載のデータ搬送媒体。
【請求項１７】
２つ以上のパスに沿ってイングレスノードから複数のエグレスノードのそれぞれへ通信信号が伝送されるよう通信リンクを介して該複数のエグレスノードに接続された該イングレスノードを備えたネットワークであって、
前記イングレスノードおよび前記複数のエグレスノードは、
前記ネットワークにおいて障害が発生する前に予め、前記通信リンクに沿ってマルチキャスト通信信号を伝送するプライマリパスと、前記通信リンクに沿って該マルチキャスト通信信号を伝送するバックアップパスとを設け、前記障害が発生すると、マルチキャスト通信信号を前記プライマリパス上で伝送するとともに、該マルチキャスト通信信号のコピーを前記バックアップパス上で伝送するように構成されている
ことを特徴とするネットワーク。
【請求項１８】
前記通信リンクは、前記イングレスノードおよび前記複数のエグレスノードを接続するリングであり、前記リングに沿って両方向で通信信号が伝送されることを特徴とする請求項１７に記載のネットワーク。
【請求項１９】
前記ネットワークにおいて、複数のプライマリパスのそれぞれについて個別のバックアップパスが設けられていることを特徴とする請求項１７または１８に記載のネットワーク。
【請求項２０】
前記通信リンクは、複数のプライマリパスに対して単一のバックアップパスを設けることで、多対一の保護を提供することを特徴とする請求項１７または１８に記載のネットワーク。
【請求項２１】
複数のエグレスノードのそれぞれは、前記プライマリパスに沿った前記マルチキャスト通信信号の受信に失敗したときにだけ、前記バックアップパスに沿った前記マルチキャスト通信信号のコピーを受信するように切り替えることを特徴とする請求項１７ないし２０のいずれか１項に記載のネットワーク。
【請求項２２】
前記エグレスノードは、前記プライマリパス上での前記マルチキャスト通信信号の受信に失敗したことに応じて、前記バックアップパス上での前記マルチキャスト通信信号のコピーを受信するように切り替えることを特徴とする請求項２１に記載のネットワーク。
【請求項２３】
前記イングレスノードは、前記ネットワークにおける前記障害の発生を通知する通信信号を受信すると、前記プライマリパス上で前記マルチキャスト通信信号を送信するとともに、前記バックアップパス上で前記マルチキャスト通信信号のコピーを送信することを特徴とする請求項１７ないし１９のいずれか１項に記載のネットワーク。
【請求項２４】
前記ネットワークは、前記ネットワークを通じて伝送されるパケットをルーティングするためにマルチキャストラベルスイッチング（ＭＰＬＳ）を使用し、前記プライマリパスおよび前記バックアップパスは、ラベルスイッチングによる特定のパス（ＬＳＰ）であることを特徴とする請求項１７ないし２３のいずれか１項に記載のネットワーク。
【請求項２５】
前記マルチキャスト通信信号は、マルチメディアアプリケーションのためのデータまたは宛先装置でリアルタイム処理されるデータを通信するための信号であることを特徴とする請求項１７ないし２５のいずれか１項に記載のネットワーク。
【請求項２６】
１つ以上のアプリケーション用の前記エグレスノードが、他のアプリケーション用の前記イングレスノードであることを特徴とする請求項１４ないし２５のいずれか１項に記載のネットワーク。
【発明の詳細な説明】
【技術分野】
【０００１】
本発明は、ネットワークにおけるマルチキャスト通信信号のためのプロテクション（保護）方式に関するとともに、ネットワークを通じてパケットのルーティングを行うためにマルチプロトコル・ラベル・スイッチング（ＭＰＬＳ）を用いて、ネットワークにおける特別のアプリケーションではあるが、排他的なものではないアプリケーションを有するものである。
【背景技術】
【０００２】
大都市エリアをベースとするネットワークはメトロネットワークと呼ばれることが多い。このようなネットワークは、在宅ユーザ、ビジネスユーザ、インターネットサービスプロバイダ、ネットワーク通信事業者等間での通信機能を提供するように配設される。
【０００３】
メトロネットワークは、ＭＰＬＳを好適に用いて、ネットワークを通じてパケットの形で通信信号をエンドユーザへ送信することが可能である。これらのネットワークにおいて、例えば、ビデオストリーミング、インターネットプロトコルテレビ（ＩＰＴＶ）等のようなマルチメディアアプリケーションの形でエンドユーザへマルチキャストされる通信が必要とされている。この通信はマルチキャスト・ラベルスイッチパス（multicast label switched path）（ＬＳＰ）を用いて達成される。
【０００４】
リアルタイム処理用としてユーザへストリーミング伝送されるデータの場合、データは、要求されたデータレートでユーザへストリーミング伝送される必要がある。ネットワークにおける障害はこの要件の障壁となる場合があり、トラフィックの中断や低下を生じさせる原因になる。ネットワークにおいて障害が発生した場合であっても、サプライヤとエンドユーザとの間で所望のデータレートで通信を維持するために、このようなネットワークにおける保護方式が提供される。
【０００５】
ネットワーク内においてマルチキャストＬＳＰの失敗が生じた場合に、回復と保護の少なくともいずれかを提供するいくつかの方式が現在存在している。図１は１対１対応のＬＳＰ保護を含むメトロネットワークを示す図である。ネットワークは、ファイバ光リングの形で通信リンク１によって一体に接続されたノード２Ａ〜２Ｆを備える。個々のエグレス（出口）ノード２Ｂ〜２Ｆは、アクセスノード６を介して（図中の在宅環境にある）最終ユーザに接続される。ノード２Ａは、ルータ５を介してビデオサーバ３とインターネットサービスプロバイダ（ＩＳＰ）４とに接続されているイングレス（入り口）ノードである。
【０００６】
ノード２Ａは、ＬＳＰネットワークにおいて一般に行われているように、パケットを届けなければならない宛て先エグレスノード２Ｂ〜２Ｆに基づいて、どのＬＳＰがパケットを送信すべきかを決定するように構成される。
【０００７】
図１にはプライマリＬＳＰ７が示されている。このプライマリＬＳＰ７において、ビデオストリームのパケットはノード２Ｂ、２Ｃ及び２Ｅへマルチキャストにより送信される。プライマリＬＳＰ７に対しては１つのバックアップＬＳＰ８も設けられている。イングレスノード２ＡにはこれらのＬＳＰ７、８が予め構成されている。正常な作動中、パケットはプライマリＬＳＰ７に沿ってマルチキャストされて送信されるが、プライマリＬＳＰ７に沿った通信を妨げる障害がイングレスノード２Ａへ報告されると、イングレスノードはバックアップＬＳＰ８の方へ通信を切り替える。
【発明の概要】
【発明が解決しようとする課題】
【０００８】
この保護方式は、他の方式と比べて、この保護のための追加帯域幅を消費しないという効果を有している。しかしながら、図２に関して例示されているように、ＬＳＰ７及び８は失敗が生じる前に予め構成されているので、状況によってはこの方式がネットワークにおける所望のマルチキャスト通信信号を維持できない場合がある。したがって、実際には１つ以上のエグレスノードに達することができなくなる。
【０００９】
図２はネットワークにおいて生じた障害１０を示す図であり、この障害はエグレスノード２Ｂと２Ｃ間の通信を妨げるものである。この障害はノード２Ｃ及び２ＥへのプライマリＬＳＰ７に沿った通信を中断する。したがって、イングレスノード２Ａは障害通知９を受信すると、バックアップＬＳＰ８へ通信を切り替えることになる。しかしながら、この切り替えは所望のマルチキャスト通信信号を維持できるほど十分なものではない。なぜなら、バックアップＬＳＰ８に沿った通信は、障害に起因してノード２Ｂに達することができなくなるからである。したがって、予め構成されたＬＳＰによる１対１対応の保護方式はマルチキャスト通信信号を維持できなくなる可能性がある。
【００１０】
この欠陥を解決するために開発された方式が図３に示されている。この方式では、バックアップＬＳＰ８によって予め構成されたイングレスノード２Ａに代って、障害が生じた位置に関する情報を含む障害通知９に応じて、イングレスノード２ＡはバックアップＬＳＰ８をオン・デマンドで計算する。イングレスノード２Ａは、故障した光ファイバに沿った通信を回避するバックアップＬＳＰ８’を決定する。しかし、マルチキャストＬＳＰ８’をオン・デマンドで達成するためには、ＬＳＰ８’をまずイングレスノード２Ａによって計算し、次いで、複数のノード２の間でのシグナリングを介してＬＳＰ８’を確立する必要がある。これには複数の問題点がある。第１に、実行を必要とする追加の計算やシグナリングは処理電力を消費するものとなり、また、ある程度の帯域幅も必要となるため、ネットワークの速度が低下してしまうことになる。第２に、マルチキャストＬＳＰのシグナリングを行うための完全な解決方法が実際には現在まで標準化されていないため、上記追加の計算やシグナリングは、現在のメトロネットワークの中へ容易に組み入れることはできない。
【課題を解決するための手段】
【００１１】
本発明の第１の側面によれば、通信リンクを介して複数のエグレスノードに接続されたイングレスノードを備えたネットワークの両端にわたってマルチキャスト通信信号を送信して、２つ以上のパスに沿ってイングレスノードから個々のエグレスノードへ通信信号を送信できるようにする方法が提供される。該方法は、マルチキャスト通信信号を送信するリンクに沿ったプライマリパスと、マルチキャスト通信信号を送信するリンクに沿ったバックアップパスとを備えたネットワークにおいて障害が生じる前にノードを構成するステップであって、上記プライマリパスにおいてマルチキャスト通信信号を送信するとともに、障害が発生した場合、マルチキャスト通信信号のコピー（複製）をバックアップパスで送信するようにノードを構成するステップを有するものである。
【００１２】
マルチキャスト通信信号をプライマリパス上で送信するとともに、障害発生時にはマルチキャスト通信信号の複製をバックアップパス上で送信するステップは、イングレスノードによる追加の計算を必要とすることなく、マルチキャスト通信信号が所望のエグレスノードのすべてに到達することを保証するものであるが、この計算は、バックアップパスを確立するのに、ネットワーク保護又はシグナリングの速度を大幅に低減させることが考えられる。
【００１３】
これらのノードは、複数のプライマリパスに関する障害に先立って構成することが可能であり、個々のプライマリパスは、一意のセットのエグレスノードへのリンクに沿ってマルチキャスト通信信号を送信するためのものである。ノードはまた、個々のプライマリパス用のバックアップパスによって構成されてもよい。このようにして、１対１対応の保護が提供されることになる。
【００１４】
プライマリパス及びバックアップパスはマルチキャスト・ラベルスイッチパス（マルチキャストＬＳＰ）であってもよい。
【００１５】
上記方法は、ネットワークにおいて障害が存在しなくなった旨の通知を受けたイングレスノードに応答して、バックアップパス上での複製のマルチキャスト通信信号の送信を停止させるステップを有することができる。この応答は即座に行われない場合があるが、プリセットした量だけ応答を遅延されることが可能である。このようにして、本方法は、バックアップパスのスイッチをオフにする前に、すべてのエグレスノードがプライマリパスを介してマルチキャスト通信信号の受信への復帰を完了することを保証するものとなる。プリセット（予め設定）された遅延はネットワーク通信事業者によって設定することが可能であり、例えば、数ミリ秒から数秒あるいはネットワーク通信事業者の独自の選択によってそれ以上の範囲にすることが可能である。このような遅延は、データトラフィックに対する顕著な影響を避けながら、すべてのエグレスノードがプライマリパスの使用へ復帰できるだけの十分な時間を与える設定を行う必要がある。
【００１６】
本方法は、障害が修復された旨の通知を受信した後所定の時間内に、プライマリパス上でのマルチキャスト通信信号の受信へ戻るためにエグレスノードを切り替えるステップを有することができる。このようにして、エグレスノードは、安定した通信が確立されるとすぐに、単にプライマリパス上での通信信号の受信に切り替わることになる。
【００１７】
本発明の第２の側面によれば、ネットワーク用のイングレスノードが提供され、このネットワーク内において、イングレスノードは、通信リンクを介して複数のエグレスノードに接続されて、ネットワークの両端にわたってマルチキャスト通信信号を送信して、２つ以上のパスに沿ってイングレスノードから個々のエグレスノードへ通信信号を送信できるようにされる。上記イングレスノードは、マルチキャスト通信信号を送信するリンクに沿ったプライマリパスと、マルチキャスト通信信号を送信するリンクに沿ったバックアップパスとを備えたネットワークにおいて障害が生じる前にノードを構成するように配設されるとともに、障害が発生した場合には、プライマリパス上でマルチキャスト通信信号を送信し、かつ、マルチキャスト通信信号の複製をバックアップパス上で送信するように配設される。
【００１８】
本発明の第３の側面によれば、ネットワーク用のデータ搬送媒体が提供される。ネットワークは、通信リンクを介して複数のエグレスノードに接続されて、ネットワークの両端にわたってマルチキャスト通信信号を送信して、２つ以上のパスに沿ってイングレスノードから個々のエグレスノードへ通信信号を送信できるようにされたイングレスノードを含むとともに、これらのノードは、マルチキャスト通信信号を送信するリンクに沿ったプライマリパスと、マルチキャスト通信信号を送信するリンクに沿ったバックアップパスとを備えたネットワークにおいて障害が生じる前にノードが設定され、さらに、障害が発生した場合には、プライマリパスにおいてマルチキャスト通信信号を送信し、かつ、マルチキャスト通信信号の複製をバックアップパスで送信する。データ搬送媒体は、プロセッサによって実行されるインストラクション（命令）を備えている。当該インストラクションをプロセッサが実行することで、当該プロセッサは、障害が発生した旨の通知を受信したことに応答して、プライマリパスにおいてマルチキャスト通信信号並びにマルチキャスト通信信号の複製をバックアップパス上で送信するようにネットワークのイングレスノードを動作させる。
【００１９】
本発明の第４の側面によれば、ネットワーク用のエグレスノードが提供され、このネットワーク内において、上記エグレスノードは、通信リンクを介してイングレスノードに接続されている多くのエグレスノードのうちの１つであり、２つ以上のパスに沿ってイングレスノードから個々のエグレスノードへ通信信号を送信できるようになっている。上記エグレスノードは、障害が生じる前に、該エグレスノードがマルチキャスト通信信号を受信できるプライマリパスと、該エグレスノードがマルチキャスト通信信号を受信できるバックアップパスとによってノードが設定されるように配設され、プライマリパスに沿って、かつ、プライマリパス上でエグレスノードへの通信が失敗した旨の検出と、マルチキャスト通信信号の複製をバックアップパス上で受信できるかどうかの判定と、受信が可能な場合にマルチキャスト通信信号の複製を受信するためのスイッチの切り替えとに応答して、マルチキャスト通信信号を受信するように配設される。
【００２０】
理解されるように、「受信する」という用語は本明細書では、単にその前に送信が実行されたということを暗示するだけではなく、検出したり、ピックアップしたりすることを意味する。
【００２１】
本発明のエグレスノードは、プライマリパスにおける通信が失敗した場合、ネットワーク内の互いのエグレスノードとは無関係に、このノードが単にバックアップパスへ切り替わるだけであるため好適である。このようにして、イングレスノードは、プライマリパスに沿った通信信号がまだ伝送可能であれば、プライマリパスに沿って通信信号をエグレスノードへ送信することが可能となる。
【００２２】
エグレスノードは、障害が修復された旨の通知を受信した後所定の時間内に、プライマリパス上でマルチキャスト通信信号の受信に切り替わるように構成されてもよい。
【００２３】
本発明の第５の側面によれば、ネットワーク用のデータ搬送媒体が提供さる。ネットワークは、通信リンクを介して複数のエグレスノードに接続されて、ネットワークの両端にわたってマルチキャスト通信信号を送信して、２つ以上のパスに沿ってイングレスノードから個々のエグレスノードへ通信信号を送信できるようにされたイングレスノードを含むとともに、これらのノードは、マルチキャスト通信信号を送信するリンクに沿ったプライマリパスと、マルチキャスト通信信号を送信するリンクに沿ったバックアップパスとを備えたネットワークにおいて障害が生じる前にノードが設定されるとともに、障害が発生した場合には、プライマリパスにおいてマルチキャスト通信信号を送信し、かつ、マルチキャスト通信信号の複製をバックアップパスで送信する。データ搬送媒体は、プロセッサによって実行されるインストラクションを備えている。プロセッサは、当該インストラクションを実行することで、プライマリパスに沿ってマルチキャスト通信信号を受信するようにし、さらに、エグレスノードがプライマリパスに沿ったマルチキャスト通信信号の受信に失敗した場合、マルチキャスト通信信号の複製をバックアップパス上で受信することが可能であるかどうかの判定を行うようネットワークのエグレスノードを作動させる。
【００２４】
本発明の第６の側面によれば、イングレスノードを有するネットワークが提供される。このイングレスノードは、通信リンクを介して複数のエグレスノードに接続されて、ネットワークの両端にわたってマルチキャスト通信信号を送信して、２つ以上のパスに沿ってイングレスノードから個々のエグレスノードへ通信信号を送信できるようにされる。これらのノードは、マルチキャスト通信信号を送信するリンクに沿ったプライマリパスと、マルチキャスト通信信号を送信するリンクに沿ったバックアップパスとを備えたネットワークにおいて障害が生じる前にノードを構成するとともに、これらのノードは、障害が発生した場合には、プライマリパスにおいてマルチキャスト通信信号を送信し、かつ、マルチキャスト通信信号の複製をバックアップパスで送信するように配設される。
【００２５】
通信リンクはリング、特に、ノードを一体に接続したファイバ光リングであってもよい。その場合、通信はリングに沿って双方方向に行うことができる。このようにして、２つのパスがイングレスノードから個々のエグレスノードへ与えられることになる。
【００２６】
通信リンクは、ネットワークを通じて個々のパスに対して１対１対応の保護を提供することができる。すなわち、個々のプライマリパスに対して、ネットワークを通じて別々のバックアップパスが存在する。
【００２７】
上記とは別に、通信リンクは多対１対応の保護を提供することが可能であり、複数のプライマリパスが単一のバックアップパスを介して保護される。
【００２８】
通信リンクは、２つのノード間のリンクの失敗と、ノードと、２つのノード間のリンクとの少なくともいずれかの失敗並びにノードの失敗を防止する保護を提供することができる。
【００２９】
個々のエグレスノードは、エグレスノードがプライマリパスに沿ってマルチキャスト通信信号の受信に失敗した場合にのみ、バックアップパスに沿ってマルチキャスト通信信号の複製を受信するように配設することができる。例えば、エグレスノードは、プライマリパス上でのマルチキャスト通信信号の受信の失敗に応答して、バックアップパス上でのマルチキャスト通信信号の受信に切り替えることにより作動することができる。
【００３０】
イングレスノードは、プライマリパス上でマルチキャスト通信信号を送信するとともに、ネットワーク内での障害についてイングレスノードに通知する通信信号を受信すると、バックアップパス上でマルチキャスト通信信号の複製を送信するように配設することができる。
【００３１】
上記ノードは、スイッチ、ルータ、あるいは接続指向型テクノロジをベースとして好便にパケット交換ネットワークに配備することができる他のネットワーク装置であってもよい。
【００３２】
ネットワークは、ネットワークを通じてパケットを転送するためのマルチプロトコルラベル交換（ＭＰＬＳ）を用いることが可能であり、その場合、プライマリパス及びバックアップパスはネットワーク内の専用のラベル交換されたパス（ＬＳＰ）となる。
【００３３】
ネットワークは、ネットワークを通じてパケットを転送するための接続指向（コネクション・オリエンテッド）型のイーサネット（登録商標）を用いることが可能であり、その場合、プライマリパス及びバックアップパスは、ネットワーク内での専用接続となる。
【００３４】
マルチキャスト通信信号は、宛先装置におけるマルチメディアアプリケーション用又はリアルタイム処理用データの通信信号であってもよい。例えば、マルチキャスト通信信号はビデオストリーム又はインターネットプロトコルテレビ（ＩＰＴＶ）等であってもよい。
【図面の簡単な説明】
【００３５】
【図１】予め決められたＬＳＰの１対１対応の保護とのマルチプロトコルラベル交換（ＭＰＬＳ）を用いる大都市ネットワークの概略図である。
【図２】障害が生じた図１のネットワークの概略図である。
【図３】オン・デマンドで提供されるＬＳＰの１対１対応の保護とのマルチプロトコルラベル交換（ＭＰＬＳ）を用いる大都市ネットワークの概略図である。
【図４】本発明に基づいて作動する予め決められたＬＳＰの１対１対応の保護とのマルチプロトコルラベル交換（ＭＰＬＳ）を用いる大都市ネットワークの概略図である。
【発明を実施するための形態】
【００３６】
添付図面を参照しながら単に例示として本発明の実施形態について以下説明する。
【００３７】
図１を参照すると、本発明に基づくネットワークは、リングトポロジを有するファイバ光通信リンク１０１によって一体に接続されたノード１０２Ａ〜１０２Ｆを備えている。個々のエグレスノード１０２Ｂ〜１０２Ｆはアクセスノード１０６を介して住居用ネットワークに接続されている。ノード１０２Ａは、ルータ１０５を介してビデオサーバ１０３とインターネットサービスプロバイダ（ＩＳＰ）１０４とに接続されているイングレスノードである。
【００３８】
ネットワークはＭＰＬＳネットワークであり、このネットワークにおいて、イングレスノード１０２Ａはパケットを届けなければならない単複の宛て先エグレスノード１０２Ｂ〜１０２Ｆに基づいて、どのＬＳＰがデータパケットを送信すべきかを決定するように構成される。次いで、イングレスノード１０２Ａは個々のデータパケットにラベルを付ける。このラベルは、パケットに関して何を実行すべきかを決定するために下流側ノード１０２Ｂ〜１０２Ｆによって用いられる。
【００３９】
イングレスノード１０２Ａ及びエグレスノード１０２Ｂ〜１０２Ｆは、ネットワークの正常な作動時に通信信号が送信されるプライマリＬＳＰと、ネットワークにおいて障害が発生した場合に通信信号が送信されるバックアップＬＳＰとの両方によって構成される。本発明のこの実施形態において、個々のプライマリＬＳＰには１対１対応のプロテクション（保護）を提供するためにバックアップＬＳＰが設けられる。
【００４０】
図４はプライマリＬＳＰを矢印１０７により例示した図である。このプライマリＬＳＰにおいてマルチメディアストリームのパケットはノード１０２Ｂ、１０２Ｃ及び１０２Ｅへマルチキャストにより送信される。そして、矢印１０８は当該プライマリＬＳＰ用のバックアップＬＳＰを示している。
【００４１】
本発明において、マルチキャスト通信は、ほぼ同一時刻に、ネットワークにおけるイングレスノードから２つ以上のエグレスノードへデータパケットを送信することである。その場合、ネットワークの個々の光ファイバ接続は、単に通信信号の１つのコピーを搬送するものとなる。例えば、エグレスノードにおいて図４で送信先ノードへの接続が分割されるとき、通信信号のコピーが作成される。これは、ブロードキャスト、すなわちマルチキャストやユニキャストとは対照的である。マルチキャストの場合、別々の通信信号がネットワークのすべてのポイントにおいて単なるパケットの複製によってサポートされ、ネットワークの任意の１つのリンクが通信信号の２つ以上のコピーを搬送できるように個々の宛先へ送信される。また、ユニキャストの場合、通信信号は単一の宛先へ送信される。マルチキャスト通信信号はマルチメディアアプリケーション用又はライブのメディアイベント等のようなリアルタイム処理用のデータ通信用として、エンドユーザにとって非常に望ましいものである。
【００４２】
イングレスノード１０２Ａがエグレスノード１０２Ｂ〜１０２Ｆから障害についての通知を受信しなければ、イングレスノード１０２Ａは単にプライマリＬＳＰ上で通信信号を送信するためにプログラムされる。障害の検出及び通知は（検出のための）物理的基準のような従来技術による技法あるいは独自仕様の又は標準の運用保守管理（ＯＡＭ）メッセージに基づいて行うことができる。障害発生通知の受信に応答して、障害を報告した単複のノードへの通信信号用として、イングレスノード１０２ＡはプライマリＬＳＰ１０７上で通信信号の送信をし続けるが、バックアップＬＳＰ１０８上でこれらの通信信号の複製も送信する。
【００４３】
イングレスノード１０２Ａは、障害が修復された旨の通知を受信したことに応答して、バックアップＬＳＰ１０８に沿った複製した通信信号の送信を停止するためにさらにプログラムされる。イングレスノード１０２Ａは、当該通知を受信した後からプリセットされた時間が経過するまでの間に複製の通信信号の送信を停止させることができる。このプリセット済みの時間はネットワーク固有の要件に従ってネットワーク通信事業者により設定することができる。
【００４４】
エグレスノード１０２Ｂ〜１０２Ｆは、最初に（かつ優先的に）プライマリＬＳＰ１０７上で送信される通信の受信を試みるようにプログラムされる。しかし、エグレスノード１０２Ｂ〜１０２ＦがプライマリＬＳＰ１０７上での通信信号の受信に失敗した場合、エグレスノード１０２Ｂ〜１０２Ｆは、通信信号の有効な複製がバックアップＬＳＰ１０８上で送信されているかどうかを調べるためのチェックを行うことになる。エグレスノード１０２Ｂ〜１０２ＦがバックアップＬＳＰ１０８上で通信信号を受信した場合、エグレスノード１０２Ｂ〜１０２ＦはプライマリＬＳＰ１０７に沿った安定した通信が利用可能になるとすぐに、プライマリＬＳＰ１０７の使用へ復帰する。プライマリＬＳＰ１０７に沿った安定した通信が再び利用可能になったことを確認するために、障害中にバックアップＬＳＰへ切り替わった個々のエグレスノード１０２Ｂ〜１０２Ｆは、障害が修復された旨の通知を受信した後、元のプライマリＬＳＰ１０７の使用へ復帰する前に予め定められた時間の間、待機することになる。この所定の時間は、バックアップＬＳＰ１０８上での複製のマルチキャスト通信信号の送信を停止する前にイングレスノード１０２Ａが待機するプリセットされた時間よりも短い時間（好適にはずっと短い時間）となる。
【００４５】
例示として、ネットワークの運用の特別の例について以下説明する。図４は、ノード１０２Ｂと１０２Ｃ間での通信を妨げる障害が通信リンクの一部において発生したネットワークを示す図である。この障害はノード１０２Ｃ及び１０２ＥへのプライマリＬＳＰ１０７に沿うマルチキャスト通信信号を妨げるものとなる。このような障害は、例えば光ファイバにおける機械的障害（すなわちファイバ／ケーブルの切断）によって発生するような場合が考えられる。
【００４６】
障害に応答して、エグレスノード１０２Ｃと１０２Ｅ（あるいは、該当する対応レジスタが適切な位置にある障害の検出及び通知方式に依存して１０２Ｂになる場合もある）の少なくともいずれかは、障害がプライマリＬＳＰ１０７において発生した旨をイングレスノード１０２Ａに通知する通知をイングレスノード１０２Ａへ送信する。この通知に応答して、イングレスノード１０２Ａは、バックアップＬＳＰ１０８上で通信信号を送信し、プライマリＬＳＰ１０７上で通信信号の複製を送信する。エグレスノード１０２ＢはさらにプライマリＬＳＰ１０７上でマルチキャスト通信信号を受信することができ、したがってこの受信を継続する。しかし、エグレスノード１０２Ｃ及び１０２Ｅはそれ以上プライマリＬＳＰ１０７においてマルチキャスト通信信号を受信することはできなくなり、さらに、これらのエグレスノードがバックアップＬＳＰ１０８においてマルチキャスト通信信号の複製を受信できるかどうかを判定することによって応答することはできなくなる。障害はバックアップＬＳＰ１０８に沿った、ノード１０２Ｃ及び１０２Ｅへの通信信号を妨げるものではない。したがって、ノード１０２Ｃと１０２Ｅとは、バックアップＬＳＰ１０８上で送信された有効な複製のマルチキャスト通信信号を受信するために切り替わることになる。
【００４７】
障害の発生時にマルチキャスト通信信号の複製が送信されるので、共通パスをバックアップＬＳＰ１０８と共有する他の通信信号用として利用可能な通信リンク１０１の帯域は狭くなる。したがって、マルチキャスト通信信号よりも低い優先順位を有する通信信号用のデータレートは、障害が継続している時間中低下させることが可能となる。これらの考慮事項は正常なネットワーク計画及び寸法記入の一部である。
【００４８】
障害が修復されるとすぐに、エグレスノード１０２Ｃ及び１０２Ｅは、今度はプライマリＬＳＰ１０７上で通信信号の受信が可能であることを認識し、次いで、元のプライマリＬＳＰ１０７上での通信の受信へ復帰することによって応答を行う。イングレスノード１０２Ａは、バックアップＬＳＰ１０８上での複製のマルチキャスト通信信号の送信を停止させることによって障害が修復された旨の通知の受信に対して応答を行う。バックアップＬＳＰ１０８上での複製のマルチキャスト通信信号の送信の停止を構成可能な時間だけ遅延させるようにイングレスノード１０２Ａをプログラムすることができる。これによって、バックアップＬＳＰ１０８上での複製のマルチキャスト通信信号をプライマリＬＳＰ１０７において受信するために切り替わったエグレスノード１０２Ｂ〜１０２Ｆのうちの任意のエグレスノードに対して、マルチキャスト通信信号の受信へ戻るのに十分な時間が与えられる（プライマリＬＳＰが安定した方法であることを確認するために構成が可能な最少の時間の間、待機することが要件とされる場合）。
【００４９】
本発明のこの実施形態は、適当なエグレスノード１０２Ｂ〜１０２Ｆによって受信される通信信号が障害によって妨げられることがなく、その一方で、障害の発生時に、イングレスノード１０２Ａによって実行すべき大幅な、追加の計算を行う必要性、並びに、オン・デマンドでＬＳＰを確立するためのシグナリングを行う必要性が回避されるので、利点を有するものとなる。また、１＋１保護方式とは逆に、正常な作動中に保護のための追加帯域が消費されることはない。このようにして、本発明に基づいて既存のネットワークを容易に適合させることが可能となる。
【００５０】
理解されるように、本発明は上述の実施形態のみに限定されるわけではなく、請求項において規定されているような本発明の範囲から逸脱することなく実施形態に対する修正並びに変更が可能である。例えば、ネットワークはツリー、メッシュ又は完全接続トポロジを有していてもよい。
【００５１】
技術はまた、例えば接続指向型イーサネット（登録商標）以外のＭＰＬＳも利用可能であることは容易に理解されよう。
【００５２】
理解されるように、これらのノードのうちの任意の１つのノードが、通信されるデータ／アプリケーションのソースに対応して、イングレスノード又はエグレスノードとして機能できるようにネットワークを配設することも可能である。したがって、１つの実施形態では、１つ以上のアプリケーション用のエグレスノードが他のアプリケーション用のイングレスノードとなる場合もある。
【図１】
2010515314.tif 000003
【図２】
2010515314.tif 000004
【図３】
2010515314.tif 000005
【図４】
2010515314.tif 000006
【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
２つ以上のパスに沿ってイングレスノードから複数のエグレスノードのそれぞれへ通信信号が伝送されるよう通信リンクを介して該複数のエグレスノードに接続された該イングレスノードを備えたネットワークにおいてマルチキャスト通信信号を伝送する方法であって、
前記方法は、
前記ネットワークにおいて障害が発生するのに先立って、前記通信リンクに沿ってマルチキャスト通信信号を伝送するプライマリパスと、前記通信リンクに沿って該マルチキャスト通信信号を伝送するバックアップパスとを設けるよう前記イングレスノードと前記複数のエグレスノードとを設定するステップと、
前記障害が発生すると、マルチキャスト通信信号を前記プライマリパス上で伝送するとともに、該マルチキャスト通信信号のコピーを前記バックアップパス上で伝送するステップと
を有することを特徴する方法。
【請求項２】
障害が発生するのに先立って、前記イングレスノードおよび前記複数のエグレスノードは、複数のプライマリパスを設けるよう構成されており、前記複数のプライマリパスのそれぞれは、前記通信リンクに沿って複数のエグレスノードによる固有のセットへマルチキャスト通信信号を伝送するプライマリパスであることを特徴とする請求項１に記載の方法。
【請求項３】
前記イングレスノードおよび前記複数のエグレスノードは、前記複数のプライマリパスのそれぞれについてバックアップパスを設けることを特徴とする請求項２に記載の方法。
【請求項４】
前記プライマリパスおよび前記バックアップパスは、マルチキャストラベルスイッチングによるパス（マルチキャストＬＳＰ）であることを特徴とする請求項１ないし３のいずれか１項に記載の方法。
【請求項５】
前記プライマリパスおよび前記バックアップパスは、イーサネット（登録商標）によるコネクションであることを特徴とする請求項１ないし３のいずれか１項に記載の方法。
【請求項６】
前記ネットワークにおいて前記障害が解消されたことを示す通知を前記イングレスノードが受信したことに応じて、前記バックアップパス上で実行されていた前記マルチキャスト通信信号のコピーの伝送を停止するステップ
をさらに有することを特徴とする請求項１ないし５のいずれか１項に記載の方法。
【請求項７】
前記ネットワークにおいて前記障害が解消されたことを示す前記通知を前記イングレスノードが受信してから予め定められた時間だけ遅延させてから、前記バックアップパス上で実行されていた前記マルチキャスト通信信号のコピーの伝送の停止を実行するステップ
をさらに有することを特徴とする請求項６に記載の方法。
【請求項８】
前記ネットワークにおいて前記障害が解消されたことを示す前記通知を前記イングレスノードが受信してから所定時間が経過した後で、前記プライマリパス上での前記マルチキャスト通信信号の受信に戻るよう前記複数のエグレスノードを切り替えるステップ
をさらに有することを特徴とする請求項１ないし７のいずれか１項に記載の方法。
【請求項９】
前記ネットワークを通じてパケットをルーティングするためにマルチプロトコル・ラベル・スイッチング（ＭＰＬＳ）を使用するステップをさらに有し、
前記プライマリパスおよび前記バックアップパスは、前記ネットワークにおけるラベルスイッチングによる特定のパス（ＬＳＰ）である
ことを特徴とする請求項１ないし８のいずれか１項に記載の方法。
【請求項１０】
ネットワーク用のイングレスノードであって、該イングレスノードは、２つ以上のパスに沿って該イングレスノードから複数のエグレスノードのそれぞれへ通信信号が伝送されるよう通信リンクを介して該複数のエグレスノードに接続されており、
前記イングレスノードは、
前記ネットワークにおいて障害が発生するのに先立って、前記通信リンクに沿ってマルチキャスト通信信号を伝送するプライマリパスと、前記通信リンクに沿って該マルチキャスト通信信号を伝送するバックアップパスとを設けるよう前記イングレスノードと前記複数のエグレスノードとを設定し、
前記障害が発生すると、マルチキャスト通信信号を前記プライマリパス上で伝送するとともに、該マルチキャスト通信信号のコピーを前記バックアップパス上で伝送する
ように構成されていることを特徴とするイングレスノード。
【請求項１１】
ネットワーク用のコンピュータ可読記憶媒体であって、該ネットワークは、２つ以上のパスに沿ってイングレスノードから複数のエグレスノードのそれぞれへ通信信号が伝送されるよう通信リンクを介して該複数のエグレスノードに接続された該イングレスノードを備えたネットワークであり、前記イングレスノードおよび前記複数のエグレスノードは、前記ネットワークにおいて障害が発生するのに先立って、前記通信リンクに沿ってマルチキャスト通信信号を伝送するプライマリパスと、前記通信リンクに沿って該マルチキャスト通信信号を伝送するバックアップパスとを設けるように設定されており、
前記コンピュータ可読記憶媒体は、プロセッサによって実行されるインストラクションを記憶しており、該プロセッサは該インストラクションを実行することにより、前記ネットワークにおける前記イングレスノードを、前記障害が発生したことを示す通知を受信したことに応じて、マルチキャスト通信信号を前記プライマリパス上で伝送するとともに、該マルチキャスト通信信号のコピーを前記バックアップパス上で伝送するように動作させる
ことを特徴とするコンピュータ可読記憶媒体。
【請求項１２】
ネットワーク用のエグレスノードであって、２つ以上のパスに沿ってイングレスノードから複数のエグレスノードのそれぞれへ通信信号が伝送されるよう通信リンクを介してイングレスノードに接続されている多数のエグレスノードのうちの１つであり、
前記エグレスノードは、
前記ネットワークにおいて障害が発生するのに先立って、該エグレスノードが前記通信リンクに沿ってマルチキャスト通信信号を受信するためのプライマリパスと、該エグレスノードが前記通信リンクに沿って該マルチキャスト通信信号を受信するためのバックアップパスとを設けるように設定されており、かつ、プライマリパス上でマルチキャスト通信信号を受信するように構成されており、さらに、該プライマリパス上での該エグレスノードへのマルチキャスト通信信号の受信が失敗したことを検出すると、バックアップパス上で前記マルチキャスト通信信号のコピーを受信できるかどうかを判定し、もし受信できるのであれば、該マルチキャスト通信信号のコピーを受信するように切り替えるよう構成されていることを特徴とするエグレスノード。
【請求項１３】
前記エグレスノードは、前記障害が解消したことを示す通知を受信してから所定時間が経過すると、前記プライマリパス上で前記マルチキャスト通信信号を受信するように切り替えるよう構成されていることを特徴とする請求項１２に記載のエグレスノード。
【請求項１４】
ネットワーク用のコンピュータ可読記憶媒体であって、該ネットワークは、２つ以上のパスに沿ってイングレスノードから複数のエグレスノードのそれぞれへ通信信号が伝送されるよう通信リンクを介して該複数のエグレスノードに接続された該イングレスノードを備えたネットワークであり、前記イングレスノードおよび前記複数のエグレスノードは、前記ネットワークにおいて障害が発生するのに先立って、前記通信リンクに沿ってマルチキャスト通信信号を伝送するプライマリパスと、前記通信リンクに沿って該マルチキャスト通信信号を伝送するバックアップパスとを設けるように設定されており、
前記コンピュータ可読記憶媒体は、プロセッサによって実行されるインストラクションを記憶しており、該プロセッサは該インストラクションを実行することにより、前記ネットワークにおける前記エグレスノードを、プライマリパスに沿ってマルチキャスト通信信号を受信し、該プライマリパスに沿ってマルチキャスト通信信号を受信することに前記エグレスノードが失敗すると、バックアップパス上で前記マルチキャスト通信信号のコピーを受信できるかどうかを判定し、もし受信できるのであれば、該マルチキャスト通信信号のコピーを受信するように切り替えるよう動作させることを特徴とするコンピュータ可読記憶媒体。
【請求項１５】
前記インストラクションによって前記プロセッサは、前記エグレスノードを、前記障害が解消したことを示す通知を受信してから所定時間が経過すると、前記プライマリパス上で前記マルチキャスト通信信号を受信するように切り替えるよう動作させることを特徴とする請求項１４に記載のコンピュータ可読記憶媒体。
【請求項１６】
２つ以上のパスに沿ってイングレスノードから複数のエグレスノードのそれぞれへ通信信号が伝送されるよう通信リンクを介して該複数のエグレスノードに接続された該イングレスノードを備えたネットワークであって、
前記イングレスノードおよび前記複数のエグレスノードは、
前記ネットワークにおいて障害が発生するのに先立って、前記通信リンクに沿ってマルチキャスト通信信号を伝送するプライマリパスと、前記通信リンクに沿って該マルチキャスト通信信号を伝送するバックアップパスとを設け、前記障害が発生すると、マルチキャスト通信信号を前記プライマリパス上で伝送するとともに、該マルチキャスト通信信号のコピーを前記バックアップパス上で伝送するように構成されている
ことを特徴とするネットワーク。
【請求項１７】
前記通信リンクは、前記イングレスノードおよび前記複数のエグレスノードを接続するリングであり、前記リングに沿って両方向で通信信号が伝送されることを特徴とする請求項１６に記載のネットワーク。
【請求項１８】
前記ネットワークにおいて、複数のプライマリパスのそれぞれについて個別のバックアップパスが設けられていることを特徴とする請求項１６または１７に記載のネットワーク。
【請求項１９】
前記通信リンクは、複数のプライマリパスに対して単一のバックアップパスを設けることで、多対一の保護を提供することを特徴とする請求項１６または１７に記載のネットワーク。
【請求項２０】
複数のエグレスノードのそれぞれは、前記プライマリパスに沿った前記マルチキャスト通信信号の受信に失敗したときにだけ、前記バックアップパスに沿った前記マルチキャスト通信信号のコピーを受信するように切り替えることを特徴とする請求項１６ないし１９のいずれか１項に記載のネットワーク。
【請求項２１】
前記エグレスノードは、前記プライマリパス上での前記マルチキャスト通信信号の受信に失敗したことに応じて、前記バックアップパス上での前記マルチキャスト通信信号のコピーを受信するように切り替えることを特徴とする請求項２０に記載のネットワーク。
【請求項２２】
前記イングレスノードは、前記ネットワークにおける前記障害の発生を通知する通信信号を受信すると、前記プライマリパス上で前記マルチキャスト通信信号を送信するとともに、前記バックアップパス上で前記マルチキャスト通信信号のコピーを送信することを特徴とする請求項１６ないし１８のいずれか１項に記載のネットワーク。
【請求項２３】
前記ネットワークは、前記ネットワークを通じて伝送されるパケットをルーティングするためにマルチキャストラベルスイッチング（ＭＰＬＳ）を使用し、前記プライマリパスおよび前記バックアップパスは、ラベルスイッチングによる特定のパス（ＬＳＰ）であることを特徴とする請求項１６ないし２２のいずれか１項に記載のネットワーク。
【請求項２４】
前記マルチキャスト通信信号は、マルチメディアアプリケーションのためのデータまたは宛先装置でリアルタイム処理されるデータを通信するための信号であることを特徴とする請求項１６ないし２３のいずれか１項に記載のネットワーク。
【請求項２５】
１つ以上のアプリケーション用の前記エグレスノードが、他のアプリケーション用の前記イングレスノードであることを特徴とする請求項１６ないし２４のいずれか１項に記載のネットワーク。
【国際調査報告】
2010515314.tif 000007
2010515314.tif 000008